(57)【要約】【課題】画像形成装置が省電力状態へ移行中である場合にも、速やかに画像形成装置を起動させる。【解決手段】信号をインクジェット印刷装置２へ送信する入出力インタフェース部１１と、インクジェット印刷装置２の状態を要求する信号を入出力インタフェース部１１に送信させる状態取得部１２と、状態取得部１２により要求した信号に対する応答に基づいて、インクジェット印刷装置２が省電力状態に設定されたか否かを判定する判定部１３と、判定部１３により、インクジェット印刷装置２が省電力状態に設定されたと判定された場合、インクジェット印刷装置２を起動させるための信号を入出力インタフェース部１１に送信させる起動制御部１４とを備える。【選択図】図１
2013089098.tif 000002
【特許請求の範囲】
【請求項１】
画像を形成する画像形成装置と接続され、前記画像形成装置へ信号を送信する信号送信装置であって、
前記信号を前記画像形成装置へ送信する送信手段と、
前記画像形成装置の状態を要求する信号を前記送信手段に送信させる状態取得手段と、
前記状態取得手段により要求した信号に対する応答に基づいて、前記画像形成装置が省電力状態に設定されたか否かを判定する判定手段と、
前記判定手段により、前記画像形成装置が省電力状態に設定されたと判定された場合、前記画像形成装置を起動させるための信号を前記送信手段に送信させる起動制御手段と、
を備えたことを特徴とする信号送信装置。
【請求項２】
前記起動制御手段は、
前記判定手段により前記画像形成装置が省電力状態に設定されたと判定されるまで、前記状態取得手段及び前記判定手段に、それぞれ繰り返し送信及び判定させ、前記画像形成装置が省電力状態に設定されたと判定された後、前記画像形成装置を起動させるための信号を前記送信手段に送信させる
ことを特徴とする請求項１記載の信号送信装置。
【請求項３】
印刷ジョブに基づいて画像を形成する画像形成装置と、前記画像形成装置と接続され、前記画像形成装置へ信号を送信する信号送信装置とを備えた画像形成システムであって、
前記信号送信装置は、
前記信号を前記画像形成装置へ送信する送信手段と、
前記画像形成装置の状態を要求する信号を前記送信手段に送信させる状態取得手段と、
前記状態取得手段により要求した信号に対する応答に基づいて、前記画像形成装置が省電力状態に設定されたか否かを判定する判定手段と、
前記判定手段により、前記画像形成装置が省電力状態に設定されたと判定された場合、前記画像形成装置を起動させるための信号を前記送信手段に送信させる起動制御手段と、
を有し、
前記画像形成装置は、
前記省電力状態の設定が要求された場合に、前記省電力状態の移行の準備が完了すると、前記信号として前記送信手段から前記印刷ジョブが送信されたか否かを判定する印刷ジョブ判定手段と、
前記印刷ジョブ判定手段により、印刷ジョブが送信されたと判定された場合、前記省電力状態の設定を中止し、印刷ジョブが送信されていないと判定された場合、前記省電力状態の設定を開始する省電力設定手段と、を有する
ことを特徴とする画像形成システム。
【請求項４】
前記起動制御手段は、
前記判定手段により前記画像形成装置が省電力状態に設定されたと判定されるまで、前記状態取得手段及び前記判定手段に、それぞれ繰り返し送信及び判定させ、前記画像形成装置が省電力状態に設定されたと判定された後、前記画像形成装置を起動させるための信号を前記送信手段に送信させる
ことを特徴とする請求項３記載の画像形成システム。
【発明の詳細な説明】
【技術分野】
【０００１】
本発明は、画像形成装置と接続され、各種信号を画像形成装置へ送信する信号送信装置及び画像形成システムに関する。
【背景技術】
【０００２】
昨今、国内外において、環境保護のため温室効果ガスの削減活動が推進されており、より一層、省エネルギーへの取組が必要とされている。
【０００３】
そのため、画像形成装置においても、消費電力を低減するための様々な技術が開発されており、例えば、使用していない時間に消費する電力（待機電力）を低減化するために、消費電力を低く抑える省電力状態の設定が可能な画像形成装置も普及している。
【０００４】
また、特許文献１には、省電力状態が設定されている画像形成装置に対して、起動パケットを画像形成装置に送信することにより、画像形成装置は画像形成が可能な状態（画像形成可能状態、稼動状態）に復帰させる画像形成システムが提案されている。
【先行技術文献】
【特許文献】
【０００５】
【特許文献１】特開２０１０−２１７９８３号公報
【発明の概要】
【発明が解決しようとする課題】
【０００６】
しかしながら、特許文献１に記載された画像形成システムでは、省電力状態が設定されている画像形成装置に対して、起動パケットを画像形成装置に送信するが、省電力状態への移行中は、この起動パケットを受け付けることができず、起動パケットは破棄されてしまう。そのため、省電力状態への移行が完了した頃を見計らって、改めて起動パケットを送信する必要があり、画像形成装置を起動させるまでに相当の時間を要するという課題があった。
【０００７】
本発明は、上記課題に鑑みてなされたものであり、画像形成装置が省電力状態へ移行中である場合にも、速やかに画像形成装置を起動させる信号送信装置及び画像形成システムを提供することを目的とする。
【課題を解決するための手段】
【０００８】
上記目的を達成するため、本発明に係る信号送信装置の第１の特徴は、画像を形成する画像形成装置と接続され、前記画像形成装置へ信号を送信する信号送信装置であって、前記信号を前記画像形成装置へ送信する送信手段と、前記画像形成装置の状態を要求する信号を前記送信手段に送信させる状態取得手段と、前記状態取得手段により要求した信号に対する応答に基づいて、前記画像形成装置が省電力状態に設定されたか否かを判定する判定手段と、前記判定手段により、前記画像形成装置が省電力状態に設定されたと判定された場合、前記画像形成装置を起動させるための信号を前記送信手段に送信させる起動制御手段と、を備えたことにある。
【０００９】
本発明に係る信号送信装置の第２の特徴は、前記起動制御手段は、前記判定手段により前記画像形成装置が省電力状態に設定されたと判定されるまで、前記状態取得手段及び前記判定手段に、それぞれ繰り返し送信及び判定させ、前記画像形成装置が省電力状態に設定されたと判定された後、前記画像形成装置を起動させるための信号を前記送信手段に送信させることにある。
【００１０】
本発明に係る画像形成システムの第１の特徴は、印刷ジョブに基づいて画像を形成する画像形成装置と、前記画像形成装置と接続され、前記画像形成装置へ信号を送信する信号送信装置とを備えた画像形成システムであって、前記信号送信装置は、前記信号を前記画像形成装置へ送信する送信手段と、前記画像形成装置の状態を要求する信号を前記送信手段に送信させる状態取得手段と、前記状態取得手段により要求した信号に対する応答に基づいて、前記画像形成装置が省電力状態に設定されたか否かを判定する判定手段と、前記判定手段により、前記画像形成装置が省電力状態に設定されたと判定された場合、前記画像形成装置を起動させるための信号を前記送信手段に送信させる起動制御手段と、を有し、前記画像形成装置は、前記省電力状態の設定が要求された場合に、前記省電力状態の移行の準備が完了すると、前記信号として前記送信手段から前記印刷ジョブが送信されたか否かを判定する印刷ジョブ判定手段と、前記印刷ジョブ判定手段により、印刷ジョブが送信されたと判定された場合、前記省電力状態の設定を中止し、印刷ジョブが送信されていないと判定された場合、前記省電力状態の設定を開始する省電力設定手段と、を有することにある。
【００１１】
本発明に係る画像形成システムの第２の特徴は、前記起動制御手段は、前記判定手段により前記画像形成装置が省電力状態に設定されたと判定されるまで、前記状態取得手段及び前記判定手段に、それぞれ繰り返し送信及び判定させ、前記画像形成装置が省電力状態に設定されたと判定された後、前記画像形成装置を起動させるための信号を前記送信手段に送信させることにある。
【発明の効果】
【００１２】
本発明に係る信号送信装置の第１の特徴によれば、状態取得手段により要求した信号に対する応答に基づいて、画像形成装置が省電力状態に設定されたか否かを判定する判定手段と、判定手段により、画像形成装置が省電力状態に設定されたと判定された場合、画像形成装置を起動させるための信号を送信手段に送信させる起動制御手段と、を備えたので、画像形成装置が省電力状態へ移行中である場合にも、速やかに画像形成装置を起動させることができる。
【００１３】
本発明に係る信号送信装置の第２の特徴によれば、判定手段により画像形成装置が省電力状態に設定されたと判定されるまで、状態取得手段及び判定手段に、それぞれ繰り返し送信及び判定させ、画像形成装置が省電力状態に設定されたと判定された後、画像形成装置を起動させるための信号を前記送信手段に送信させるので、より迅速に画像形成装置を起動させることができる。
【００１４】
本発明に係る画像形成システムの第１の特徴によれば、省電力状態の設定が要求された場合に、省電力状態の移行の準備が完了すると、信号として送信手段から印刷ジョブが送信されたか否かを判定する印刷ジョブ判定手段と、印刷ジョブ判定手段により、印刷ジョブが送信されたと判定された場合、省電力状態の設定を中止し、印刷ジョブが送信されていないと判定された場合、省電力状態の設定を開始する省電力設定手段と、を有する画像形成装置を備えたので、省電力状態への移行を開始する前に、印刷ジョブが送信された場合、省電力状態への移行を停止し、通常復帰状態へ遷移するので、より短時間で印刷を開始することができる。
【００１５】
本発明に係る画像形成システムの第２の特徴によれば、判定手段により画像形成装置が省電力状態に設定されたと判定されるまで、状態取得手段及び判定手段に、それぞれ繰り返し送信及び判定させ、画像形成装置が省電力状態に設定されたと判定された後、画像形成装置を起動させるための信号を前記送信手段に送信させるので、より迅速に画像形成装置を起動させることができる。
【図面の簡単な説明】
【００１６】
【図１】本発明の一実施形態である画像形成システムの構成を示した構成図である。
【図２】本発明の一実施形態である画像形成システムのインクジェット印刷装置の装置状態を説明した遷移図である。
【図３】本発明の一実施形態である画像形成システムの信号送信装置における起動処理の処理手順を示したフローチャートである。
【図４】本発明の一実施形態である画像形成システムのインクジェット印刷装置における省電力移行処理の処理手順を示したフローチャートである。
【発明を実施するための形態】
【００１７】
以下、本発明の実施の形態を、図面を参照しながら詳細に説明する。
【００１８】
本発明の一実施形態では、印刷ジョブに基づいて所定の印刷媒体に印刷を行うインクジェット印刷装置と接続され、印刷ジョブや各種信号をインクジェット印刷装置へ送信する信号送信装置を例に挙げて説明する。
【００１９】
＜画像形成システムの構成＞
図１は、本発明の一実施形態である画像形成システムの構成を示した構成図である。
【００２０】
図１に示すように、画像形成システム１０は、信号送信装置１と、画像の読み取りや印刷を行う画像形成装置であるインクジェット印刷装置２とを備えている。
【００２１】
インクジェット印刷装置２は、入出力インタフェース部２１と、印刷ジョブ判定部２２と、電力状態設定部２３と、印刷制御部２４と、印刷部２５と、ハードディスク２６と、メモリ２７と、操作部３０とを備えている。
【００２２】
入出力インタフェース部２１は、信号送信装置１と接続するための接続インタフェースであり、インクジェット印刷装置２の状態を送信するよう要求する信号や、インクジェット印刷装置２を起動させるための信号や、印刷ジョブなどの各種信号を受信したり、インクジェット印刷装置２の状態を信号送信装置１へ送信したりする。
【００２３】
印刷ジョブ判定部２２は、操作部３０の操作により、省電力状態の設定が要求された場合に、省電力状態の移行の準備が完了すると、信号として信号送信装置１から印刷ジョブが送信されたか否かを判定する。
【００２４】
電力状態設定部２３は、印刷ジョブ判定部２２により、印刷ジョブが送信されたと判定された場合、省電力状態の設定を中止し、印刷ジョブが送信されていないと判定された場合、省電力状態の設定を開始する。
【００２５】
印刷制御部２４は、利用者の操作に基づいて生成された印刷ジョブ又は信号送信装置１から供給された印刷ジョブに基づいて、印刷部２５に印刷させる。
【００２６】
印刷部２５は、印刷制御部２４から供給される印刷ジョブに基づいて、インクジェットヘッド（図示しない）からシアン（Ｃ）、マゼンタ（Ｍ）、イエロー（Ｙ）、及びブラック（Ｋ）の合計４色のインクを吐出することにより、所定の寸法に切断された印刷媒体に対してカラー印刷を行う。
【００２７】
ハードディスク２６は、印刷制御部２４が実行する各種制御プログラム等を記憶している。
【００２８】
メモリ２７は、印刷ジョブや、印刷制御部２４が各種処理を実行する上で必要なデータ等を記憶する。
【００２９】
操作部３０は、表示／入力パネル（図示しない）と、読み取りや印刷等を開始させるためのスタートキー、読み取りや印刷等を停止させるためのストップキー、印刷枚数等を入力するためのテンキー（いずれも図示せず）等の各種操作キーとを備え、利用者操作に基づく操作信号を入出力インタフェース部２１に供給する。
【００３０】
操作部３０の表示／入力パネルは、前面に配置された感圧式あるいは静電式の透明なタッチパネルと、このタッチパネルの裏面に配置され、エラー表示画面などの各種表示画面を表示する液晶表示パネル（いずれも図示せず）とを有している。利用者は、液晶表示パネルの表示画面を見ながら、タッチパネルの表面を指などで直接触れることで、表示画面上に表示された省電力状態の設定を要求するためのボタンなど各種ボタンの押下操作を行うことができる。
【００３１】
信号送信装置１は、入出力インタフェース部１１と、状態取得部１２と、判定部１３と、起動制御部１４と、記憶部１５とを備えている。
【００３２】
入出力インタフェース部１１は、インクジェット印刷装置２と接続するための接続インタフェースであり、インクジェット印刷装置２の状態を送信するよう要求する信号や、インクジェット印刷装置２を起動させるための信号や、インクジェット印刷装置２に印刷させるための印刷ジョブなどの各種信号をインクジェット印刷装置２へ送信する。また、入出力インタフェース部１１は、インクジェット印刷装置２の状態を受信する。
【００３３】
状態取得部１２は、インクジェット印刷装置２の状態を要求する信号を入出力インタフェース部１１に送信させ、この信号の応答として、入出力インタフェース部１１が受信したインクジェット印刷装置２の状態を取得する。
【００３４】
判定部１３は、状態取得部１２により要求した信号に対する応答、即ち、状態取得部１２が取得したインクジェット印刷装置２の状態に基づいて、インクジェット印刷装置２が省電力状態に設定されたか否かを判定する。
【００３５】
起動制御部１４は、判定部１３により、インクジェット印刷装置２が省電力状態に設定されたと判定された場合、インクジェット印刷装置２を起動させるための信号を入出力インタフェース部１１に送信させる。具体的には、起動制御部１４は、判定部１３によりインクジェット印刷装置２が省電力状態に設定されたと判定されるまで、状態取得部１２及び判定部１３に、それぞれ繰り返し送信及び判定させ、インクジェット印刷装置２が省電力状態に設定されたと判定された後、インクジェット印刷装置２を起動させるための信号を入出力インタフェース部１１に送信させる。
【００３６】
記憶部１５は、例えば、ハードディスク等で構成され、印刷ジョブ等を記憶する。
【００３７】
図２は、本発明の一実施形態である画像形成システム１０のインクジェット印刷装置２の装置状態を説明した遷移図である。
【００３８】
図２に示すように、インクジェット印刷装置２は、通常状態１０１、省電力移行準備状態１０２、省電力移行状態１０３、省電力状態１０４、及び通常復帰状態１０５の５つの状態がある。
【００３９】
通常状態１０１とは、印刷動作が可能な状態である。
【００４０】
省電力移行準備状態１０２は、省電力状態１０４への移行の開始準備を行っている状態である。
【００４１】
省電力移行状態１０３とは、省電力状態１０４への移行中の状態である。省電力移行状態１０３において、信号送信装置１から、インクジェット印刷装置２を起動させるための信号が送信された場合、この信号は破棄される。
【００４２】
省電力状態１０４とは、一般的には、サスペンドともいわれ、ACPI (Advanced Configuration and Power Interface)により規定されたＳ３のシステム状態に相当する。省電力状態１０４は、消費電力を低減させた状態であり、印刷部２５や、ハードディスク２６等への電力の供給を停止する一方、作業内容をメモリ２７に書き込み、メモリ２７への通電と再起動に必要な電流のみ流れている。省電力状態１０４において、信号送信装置１から、インクジェット印刷装置２を起動させるための信号が送信された場合、この信号に基づいて、入出力インタフェース部１１が印刷制御部２４を起動させ、順次、インクジェット印刷装置２が備える各構成機器を起動する。
【００４３】
また、省電力状態１０４において、信号送信装置１から、インクジェット印刷装置２の状態を要求する信号が送信された場合、この信号は破棄される。
【００４４】
通常復帰状態１０５とは、通常状態１０１への復帰を行っている状態である。
【００４５】
＜信号送信装置１の作用＞
本発明の一実施形態である画像形成システム１０の信号送信装置１の作用について説明する。
【００４６】
本発明の一実施形態である画像形成システム１０の信号送信装置１は、主に、起動処理を実行し、信号送信装置１に接続されたインクジェット印刷装置２は、省電力移行処理を実行する。そのため、各々の処理について以下に詳細に説明する。
【００４７】
≪起動処理≫
図３は、本発明の一実施形態である画像形成システム１０の信号送信装置１における起動処理の処理手順を示したフローチャートである。
【００４８】
図３に示すように、起動制御部１４は、印刷開始が要求されたか否かを判定する（ステップＳ１０１）。具体的には、ユーザにより印刷を要求する操作された場合、印刷開始が要求されたと判定する。
【００４９】
ステップＳ１０１において、印刷開始が要求されたと判定された場合（ＹＥＳの場合）、装置状態を要求する（ステップＳ１０３）。具体的には、信号送信装置１の状態取得部１２が、インクジェット印刷装置２の状態を要求する信号を入出力インタフェース部１１に送信させる。
【００５０】
次に、判定部１３は、装置状態が取得できたか否かを判定する（ステップＳ１０５）具体的には、判定部１３は、ステップＳ１０３において送信したインクジェット印刷装置２の状態を要求する信号に対して応答があった場合、装置状態が取得できたと判定する。
【００５１】
ステップＳ１０５において、装置状態が取得できたと判定された場合（ＹＥＳの場合）、装置状態が通常状態か否かを判定する（ステップＳ１０７）。具体的には、判定部１３は、インクジェット印刷装置２からの応答に基づいて、インクジェット印刷装置２が、図２に示した通常状態１０１、省電力移行準備状態１０２、省電力移行状態１０３、省電力状態１０４、及び通常復帰状態１０５のうちいずれの状態であるかを判定する。
【００５２】
ステップＳ１０７において、装置状態が通常状態１０１であると判定された場合（ＹＥＳの場合）、起動制御部１４は、記憶部１５に記憶されたデータに基づいて、印刷ジョブを生成し、生成した印刷ジョブをインクジェット印刷装置２へ送信する（ステップＳ１０９）。
【００５３】
一方、ステップＳ１０７において、装置状態が通常状態１０１ではない、即ち、省電力移行準備状態１０２、省電力移行状態１０３、省電力状態１０４、又は通常復帰状態１０５のいずれかであると判定された場合（ＮＯの場合）、処理をステップＳ１０３に移行する。
【００５４】
これにより、省電力移行準備状態１０２、省電力移行状態１０３、又は通常復帰状態１０５のいずれかである場合には、ステップＳ１０３〜Ｓ１０７の処理をループすることになる。
【００５５】
一方、ステップＳ１０５において、装置状態が取得できなかった、即ち、インクジェット印刷装置２からの応答がなかったと判定された場合（ＮＯの場合）、判定部１３は、インクジェット印刷装置２が省電力状態１０４であると判定し、起動制御部１４は、インクジェット印刷装置２を起動させるための信号である起動信号を入出力インタフェース部１１に送信させる（ステップＳ１１１）。
【００５６】
そして、状態取得部１２は、起動信号が送信されてから所定時間が経過すると（ステップＳ１１３）、装置状態を要求する（ステップＳ１１５）。具体的には、信号送信装置１の状態取得部１２が、インクジェット印刷装置２の状態を要求する信号を入出力インタフェース部１１に送信させる。
【００５７】
次に、判定部１３は、装置状態が取得できたか否かを判定する（ステップＳ１１７）。具体的には、判定部１３は、ステップＳ１１５において送信したインクジェット印刷装置２の状態を要求する信号に対して応答があった場合、装置状態が取得できたと判定する。
【００５８】
ステップＳ１１７において、装置状態が取得できたと判定された場合（ＹＥＳの場合）、装置状態が通常状態か否かを判定する（ステップＳ１１９）。具体的には、判定部１３は、インクジェット印刷装置２からの応答に基づいて、インクジェット印刷装置２が、通常状態１０１、省電力移行準備状態１０２、省電力移行状態１０３、省電力状態１０４、及び通常復帰状態１０５のうちいずれの状態であるかを判定する。
【００５９】
ステップＳ１１９において、装置状態が通常状態１０１ではない、即ち、省電力移行準備状態１０２、省電力移行状態１０３、省電力状態１０４、又は通常復帰状態１０５のいずれかであると判定された場合（ＮＯの場合）、操作部３０の表示／入力パネルにエラーを表示させる（ステップＳ１２１）。
【００６０】
以上のように、本発明の一実施形態である画像形成システム１０の信号送信装置１によれば、インクジェット印刷装置２の状態を要求する信号を入出力インタフェース部１１に送信させる状態取得部１２と、状態取得部１２により要求した信号に対する応答に基づいて、インクジェット印刷装置２が省電力状態に設定されたか否かを判定する判定部１３と、判定部１３により、インクジェット印刷装置２が省電力状態に設定されたと判定された場合、インクジェット印刷装置２を起動させるための信号を入出力インタフェース部１１に送信させる起動制御部１４とを備えるので、印刷開始が要求された際、インクジェット印刷装置２が省電力状態へ移行中である場合に、速やかにインクジェット印刷装置２を起動させ、印刷を開始させることができる。
【００６１】
≪省電力移行処理≫
図４は、本発明の一実施形態である画像形成システム１０のインクジェット印刷装置２における省電力移行処理の処理手順を示したフローチャートである。
【００６２】
図４に示すように、省電力状態への移行が要求されたか否かが判定される（ステップＳ２０１）。具体的には、操作部３０の表示／入力パネルに表示された省電力状態を要求するためのボタンが押下操作されると、省電力状態への移行が要求されたと判定される。
【００６３】
ステップＳ２０１において、省電力状態への移行が要求されたと判定された場合（ＹＥＳの場合）、印刷ジョブ判定部２２は、実行中の印刷ジョブがあるか否かを判定する（ステップＳ２０３）。
【００６４】
ステップＳ２０３において、実行中の印刷ジョブがあると判定された場合（ＹＥＳの場合）、印刷制御部２４は、実行中の印刷ジョブに基づいて、印刷を継続する（ステップＳ２０５）。
【００６５】
一方、ステップＳ２０３において、実行中の印刷ジョブがないと判定された場合（ＮＯの場合）、電力状態設定部２３は、省電力状態への移行準備を開始する（ステップＳ２０７）。これにより、インクジェット印刷装置２は、図２に示した省電力移行準備状態１０２に遷移する。
【００６６】
次に、電力状態設定部２３は、省電力状態への移行の準備が完了したか否かを判定する（ステップＳ２０９）。
【００６７】
ステップＳ２０９において、省電力状態への移行の準備が完了したと判定された場合（ＹＥＳの場合）、印刷ジョブ判定部２２は、信号送信装置１から受信中である印刷ジョブがあるか否かを判定する（ステップＳ２１１）。
【００６８】
ステップＳ２１１において、信号送信装置１から受信中である印刷ジョブがないと判定された場合（ＮＯの場合）、電力状態設定部２３は、省電力状態への移行処理を開始する（ステップＳ２１３）。これにより、インクジェット印刷装置２は、図２に示した省電力移行状態１０３に遷移し、移行が完了すると、省電力状態１０４に遷移する。
【００６９】
一方、ステップＳ２１１において、信号送信装置１から受信中である印刷ジョブがあると判定された場合（ＹＥＳの場合）、電力状態設定部２３は、通常状態への復帰処理を開始する（ステップＳ２１５）。これにより、インクジェット印刷装置２は、図２に示した通常復帰状態１０５に遷移する。
【００７０】
次に、電力状態設定部２３は、通常状態への復帰が完了したか否かを判定する（ステップＳ２１７）。具体的には、電力状態設定部２３は、図２に示した通常復帰状態１０５から通常状態１０１へ遷移したか否かを判定する。
【００７１】
ステップＳ２１７において、通常状態への復帰が完了したと判定された場合（ＹＥＳの場合）、印刷制御部２４は、受信した印刷ジョブに基づいて、印刷を実行する（ステップＳ２１９）。
【００７２】
以上のように、本発明の一実施形態である画像形成システム１０のインクジェット印刷装置２によれば、省電力状態の設定が要求された場合に、省電力状態の移行の準備が完了すると、信号送信装置１から印刷ジョブが送信されたか否かを判定する印刷ジョブ判定部２２と、印刷ジョブ判定部２２により、印刷ジョブが送信されたと判定された場合、省電力状態の設定を中止し、印刷ジョブが送信されていないと判定された場合、省電力状態の設定を開始する電力状態設定部２３とを有するので、省電力状態への移行を開始する前に、印刷ジョブが送信された場合、省電力状態への移行を停止し、通常復帰状態へ遷移するので、より短時間で印刷を開始することができる。
【００７３】
また、本発明の一実施形態である信号送信装置１は、インクジェットヘッドから４色のインクを吐出することにより、所定の寸法に切断された印刷媒体に対してカラー印刷を行うインクジェット方式のプリンタであるインクジェット印刷装置２と接続される構成を例に挙げて説明したが、接続先のプリンタは、これに限らず、レーザ方式、又は孔版印刷方式等の印刷装置であってもよい。
【符号の説明】
【００７４】
１…信号送信装置
２…インクジェット印刷装置
１０…画像形成システム
１１…入出力インタフェース
１２…状態取得部
１３…判定部
１４…起動制御部
１５…記憶部
２１…入出力インタフェース部
２２…印刷ジョブ判定部
２３…電力状態設定部
２４…印刷制御部
２５…印刷部
２６…ハードディスク
２７…メモリ
３０…操作部
【図１】
2013089098.tif 000003
【図２】
2013089098.tif 000004
【図３】
2013089098.tif 000005
【図４】
2013089098.tif 000006